(57)【要約】【課題】ＩＣタグ装置が取り付けられた場所付近に狭い空間しかなくても読み取り装置による良好な読み取りを可能とする。【解決手段】ＩＣタグ装置１は、光ファイバ１０の端部に形成したプラグ１１をアダプタ１２のホール１２ａに挿入する際の光ファイバ１０の管理に用いられる。ＩＣタグ装置１は、アンテナの一部２をアンテナの残部３に対して相対的に折り曲げてアダプタ１２に取り付けているので、読み取り装置２０の送受信部（アンテナを含む）は、ＩＣタグ装置が取り付けられた場所付近に狭い空間しかなくてもアダプタ１２に関する管理データ及びプラグ１１に関する管理データを読み出すことができる。【選択図】図５
2008294558.tif 000002
【特許請求の範囲】
【請求項１】
装着される部材の管理データを記憶し、かつ外部の読み取り装置に前記管理データを送信するＩＣタグ装置において、
前記読み取り装置の信号送受信部に対して対向するように前記部材に装着されるアンテナの一部と、
前記アンテナの一部に対して相対的に折り曲げられたアンテナの残部であって半導体チップが取り付けられたアンテナの残部と
を備えることを特徴とするＩＣタグ装置。
【請求項２】
前記アンテナの一部及び残部に切り欠き部を設けることを特徴とする請求項１記載のＩＣタグ装置。
【請求項３】
前記アンテナを平面状にしたときに、その寸法が４ｍｍ×４ｍｍ以下であることを特徴とする請求項１記載のＩＣタグ装置。
【請求項４】
光ファイバーの端部に形成したプラグをアダプタに挿入する際の光ファイバーの管理に用いることを特徴とする請求項１記載のＩＣタグ装置。
【請求項５】
前記アダプタに取り付けることを特徴とする請求項１記載のＩＣタグ装置。
【請求項６】
前記プラグと前記アダプタとのペアの確認に用いることを特徴とする請求項４記載のＩＣタグ装置。
【請求項７】
上記アダプタは複数個が一体に形成されており、複数個のアダプタに取り付けられることを特徴とする請求項４記載のＩＣタグ装置。
【請求項８】
複数個が一体に形成されたアダプタブロックを重ねて使用する際に用いられることを特徴とする請求項４記載のＩＣタグ装置。
【発明の詳細な説明】
【技術分野】
【０００１】
本発明は、装着される部材の管理データを記憶し、かつ外部の読み取り装置に前記管理データを送信するＩＣタグ装置に関する。
【背景技術】
【０００２】
ＩＣカードを小型化し、タグ状に形成したものは、「ＩＣタグ」と呼ばれ、チップの小型化と低コスト化により、様々な分野における製造・流通・販売等の一括管理によるサプライチェーン・マネジメント（ＳＣＭ）支援や、販売データを活用したカスタマー・リレーションシップ・マネジメント（ＣＲＭ）支援にも活用されている。
【０００３】
ところで、ＩＣタグが向いている方向によっては、読み取り装置側でＩＣタグから管理データなどを読み取るのが困難な場合がある。そこで、下記特許文献１では、無線タグが向いている方向的な制約を無くし、無線タグからの信号を読み取ることができるようにしたタグ情報読み取り装置が開示された。
【特許文献１】特許第３４０２９８９号公報
【発明の開示】
【発明が解決しようとする課題】
【０００４】
しかし、ＩＣタグ装置が装着される部材の形状、使用状態によっては、ＩＣタグ装置が取り付けられた場所付近には狭い空間しかなく、読み取り装置をＩＣタグのアンテナ部に対向して接近させるのが困難であることがある。
【０００５】
また、ＩＣタグ装置を装着した部材を積層した場合には、読み取り装置によって管理データを読み取りたいＩＣタグ装置が上部に重ねた他の部材によって隠れてしまい読み取りが困難となることもある。
【０００６】
本発明は、前記実情に鑑みてなされたものであり、ＩＣタグ装置が取り付けられた場所付近に狭い空間しかなくても読み取り装置による良好な読み取りを可能とするＩＣタグ装置の提供を目的とする。
【課題を解決するための手段】
【０００７】
本発明に係るＩＣタグ装置は、前記課題を解決するために、装着される部材の管理データを記憶し、かつ外部の読み取り装置に前記管理データを送信するＩＣタグ装置において、前記読み取り装置の信号送受信部に対して対向するように前記部材に装着されるアンテナの一部と、前記アンテナの一部に対して相対的に折り曲げられたアンテナの残部であって半導体チップが取り付けられたアンテナの残部とを備える。
【０００８】
前記ＩＣタグ装置は、前記アンテナの一部及び残部に切り欠き部を設けることが好ましい。また、前記ＩＣタグ装置は光ファイバの端部に形成したプラグをアダプタに挿入する際の光ファイバの管理に用いることが好ましい。また、前記アダプタに取り付けることが好ましい。
【０００９】
前記ＩＣタグ装置は、密接したプラグ及びアダプタに取り付けるために、アンテナの寸法が４ｍｍ×４ｍｍ以下であることが好ましい。
【００１０】
また、前記ＩＣタグ装置は、前記光ファイバの前記プラグと前記アダプタとのペアの確認に用いることが好ましい。上記アダプタは複数個が一体に形成されており、複数個のアダプタに取り付けられることが好ましい。また、複数個が一体に形成されたアダプタを重ねて使用する際に用いられることが好ましい。
【発明の効果】
【００１１】
本発明に係るＩＣタグ装置によれば、ＩＣタグ装置が取り付けられた場所付近に狭い空間しかなくても読み取り装置による良好な読み取りを可能とする。
【発明を実施するための最良の形態】
【００１２】
以下、本発明を実施するための最良の形態について図面を参照しながら説明する。
【００１３】
図１はＩＣタグ装置の具体例の外観図である。図２はＩＣタグ装置の後述する一部２に対して残部３を相対的に破線７により折り曲げる前の状態を示す図である。
【００１４】
このＩＣタグ装置１は、装着される部材の管理データを記憶し、かつ外部の読み取り装置２０に管理データを送信する。ＩＣタグ装置１は読み取り装置２０の信号送受信部２１に対して対向するように部材に装着されるアンテナの一部２と、アンテナの一部２に対して図１の破線７を基準に相対的に折り曲げられたアンテナの残部であって半導体チップ４が取り付けられたアンテナの残部３とを備える。
【００１５】
また、ＩＣタグ装置１は、アンテナの一部２及び残部４に切り欠き部５ａ及び５ｂを設ける。この切り欠き部５ａ及び５ｂは、破線７を基準に相対的に折り曲げるのに便利である。また、ＩＣタグ装置１を部材に取り付ける際に基準として用いることができる。
【００１６】
図３は図２に示したＩＣタグ装置１の平面図である。また、図４は図３の基準線ＡＡ’に沿った断面図である。ＩＣタグ装置１のアンテナの一部２及び残部３は、アルミニウムからなり、アルミアンテナを構成する。半導体チップ（ＩＣチップ）４は、アルミカバー６によりアンテナの残部３に設置されている。ＩＣチップ４は、機能的にデータ記憶部と演算処理部と送信部とを有してなり、部材、例えば光ファイバーのプラグが挿入されるアダプタに関する管理データをデータ記憶部に記憶し、かつ演算処理部の制御に基づいて管理データをデータ記憶部から読み出し、送信部及びアンテナの残部３及び一部２を通して読み取り装置２０に送信する。管理データは、アダプタの認識番号、製造年月日、製造材料などに関する情報である。また、挿入されるべきプラグに関するデータも記憶し、適切なプラグが挿入されるか否かの判定を助ける。
【００１７】
ＩＣタグ装置１は、図４に示すように、ベースフィルム８上にアルミ層９を積層している。アルミ層９上には電極４ｂを通してＩＣチップ４が配置されている。ＩＣチップ４上にはさらに電極４ａを通してアルミカバー６が積層されている。よって、ＩＣチップ４は電極４ａ及び４ｂを介してアルミアンテナ９及び６に接続されていることになる。
【００１８】
図５はＩＣタグ装置１を取り付けたアダプタ１２に、図２の状態のＩＣタグ装置１、つまり前記一部２と残部３とを相対的に折り曲げていないＩＣタグ装置（符号３０とする）を挿入する状態を示す図である。ＩＣタグ装置１は、光ファイバ１０の端部に形成したプラグ１１をアダプタ１２のホール１２ａに挿入する際の光ファイバ１０の管理に用いられる。
【００１９】
ＩＣタグ装置１及びＩＣタグ装置３０のＩＣチップには、アダプタ１２及びプラグ１１に関する管理データが記憶されているので、これらＩＣタグ装置１及び３０はアダプタ１２とプラグ１１のペアの確認に用いることができる。
【００２０】
ＩＣタグ装置１は、アンテナの一部２をアンテナの残部３に対して相対的に折り曲げてアダプタ１２に取り付けているので、読み取り装置２０の送受信部（アンテナを含む）は、ＩＣタグ装置が取り付けられた場所付近に狭い空間しかなくてもアダプタ１２に関する管理データ及びプラグ１１に関する管理データを読み出すことができる。
【００２１】
図６はアダプタが複数個一体に形成されたアダプタブロック１３が積層されて使用される状態を示している。このようにアダプタブロック１３が重ねられても読み取り装置２０はアンテナの一部２に対して対向するように配置することが可能である。よって、アダプタブロック１３を重ねて使用してもプラグとアダプタのペアの確認を容易にすることができる。
【００２２】
図７にはＩＣタグ装置１とＩＣタグ装置３０との比較使用例を示す。図３に平面図を示したＩＣタグ装置３０は、ＩＣタグ装置１のようにアンテナの一部２と残部３を相対的に折り曲げていないので、物体（例えばアダプタ１２）の上部の表面部にしか取り付けできない。したがって、図７の（ａ）に示すように、矢印方向から届く読み取り装置からの信号を受信することは困難である。これに対してＩＣタグ装置１のように相対的にアンテナの一部２と残部３とを折り曲げると図７の（ｂ）に示すようにアダプタ１２の側面部に前記アンテナの一部２を、上部の表面部に取り付けられる前記アンテナの残部３とは別に取り付けることができる。よって、矢印方向から届く読み取り装置の信号を前記アンテナの一部２にて受信することができる。
【００２３】
図８はＩＣタグ装置１の他の使用例を示す図である。木材、樹脂等の板状材料３１、３２及び３３を重ねた状態でも、各材料にＩＣタグ装置１を装着しておけば、情報読み取り装置をアンテナの一部２に近づけることができる。したがって、各部材の管理データを前記板状材料の重なり状態を崩すことなく読み取り装置によって読み取ることができる。アンテナの寸法に特に制約がない場合には最大の特性が得られるアンテナ長さにしておくことが好ましい。
【００２４】
なお、図９に示すようにＩＣタグ装置上のＩＣチップの装着は他の形態でもよい。図９にあって、ＩＣチップ４０はアルミアンテナ９にボンディングされている。
【００２５】
以上に、説明したように、ＩＣタグ装置１によれば、取り付けられた場所付近に狭い空間しかなくても読み取り装置による良好な読み取りを可能とする。
【図面の簡単な説明】
【００２６】
【図１】ＩＣタグ装置の具体例の外観図である。
【図２】ＩＣタグ装置の一部に対して残部を相対的に折り曲げる前の状態を示す図である。
【図３】ＩＣタグ装置の平面図である。
【図４】前記平面図の基準線ＡＡ’に沿った断面図である。
【図５】ＩＣタグ装置を取り付けたアダプタと、プラグとの接続状態を示す図である。
【図６】アダプタが複数個一体に形成されたアダプタブロックが重ねて使用される状態を示している。
【図７】アンテナの一部と全部とを相対的に折り曲げたＩＣタグ装置と、折り曲げていないＩＣタグ装置との比較使用例を示す。
【図８】ＩＣタグ装置の他の使用例を示す図である。
【図９】ＩＣタグ装置上のＩＣチップの他の装着形態を示す図である。
【符号の説明】
【００２７】
１  ＩＣタグ装置
２  アンテナの一部
３  アンテナの残部
４  ＩＣチップ
５  切り欠き部
６  アルミカバー
１０  光ファイバー
１１  プラグ
１２  アダプタ
２０  読み取り装置
【図１】
2008294558.tif 000003
【図２】
2008294558.tif 000004
【図３】
2008294558.tif 000005
【図４】
2008294558.tif 000006
【図５】
2008294558.tif 000007
【図６】
2008294558.tif 000008
【図７】
2008294558.tif 000009
【図８】
2008294558.tif 000010
【図９】
2008294558.tif 000011